(57)【要約】      （修正有）【課題】検知信号の正確性及び感度を向上する検知装置を提供する。【解決手段】検知装置２は、非導電性弾性体２１と、導電性繊維２２と、導電性弾性体２３と、を備える。非導電性弾性体２１は、軟質の弾性を有する非導電体からなり、一側面に、凹み部２１１を有する。導電性繊維２２は、凹み部２１１に固定される。導電性弾性体２３は、軟質の弾性を有する導電体からなり、非導電性弾性体２１の一側面に形成される。検知装置２が外力の圧迫を受けると、導電性弾性体２３及び非導電性弾性体２１の対応する部位が圧迫変形して、導電性弾性体２３と導電性繊維２１とが接触して導通する。これにより、導電性織物を使用した場合に生じる種々な問題を有効に防止できる。【選択図】図３
0003180094.tif 000002
【実用新案登録請求の範囲】
【請求項１】
軟質の弾性非導電体からなり、一側面に凹凸形状が形成され、かつ、凹み部を有する非導電性弾性体と、
前記凹み部の内部に固定される導電性繊維と、
弾性を有する導電体からなり、前記非導電性弾性体に形成される凹凸形状の前記一側面に取り付けられ導電性弾性体と、
を備え、
外力の圧迫を受けると、前記導電性弾性体および前記非導電性弾性体の対応する部位が圧迫により変形し、前記導電性弾性体と前記導電性繊維とが接触し、導通することを特徴とする検知装置。
【請求項２】
前記導電性繊維は、前記凹み部の内部に縫製されることを特徴とする請求項１記載の検知装置。
【請求項３】
前記非導電性弾性体は、前記導電性弾性体と互いに結合されることを特徴とする請求項２記載の検知装置。
【請求項４】
前記非導電性弾性体および前記導電性弾性体は、シート状に形成され、
前記非導電性弾性体を構成する２層のシート体は、それぞれ前記導電性弾性体が貼り付けられ、かつ、周縁部がシールされ、
前記導電性弾性体は、前記非導電性弾性体からなる前記シート体の間に収容されることを特徴とする請求項２記載の検知装置。
【請求項５】
前記非導電性弾性体の前記周縁部は、綿糸によって一体に縫合されることを特徴とする、請求項４記載の検知装置。
【考案の詳細な説明】
【技術分野】
【０００１】
本考案は、導電性弾性体を備える検知装置に関し、特に、導電性弾性体を備える非意識型活動検知装置に関する。
【背景技術】
【０００２】
世界的に出生率の低下及び医療改善の影響を受けて、世界各地高齢人口の比率が大幅に増加し、慢性病発生率の増加も明らかである。よって、各種の医療介護サービスに対する需要も増加する一方である。各種医療介護サービスの発展につれて、自宅環境における体活動の検知技術も向上している。医療介護サービスの提供者がより速く、かつ高齢者または慢性病患者等の被測定対象者の活動状況、例えば、被測定者の呼吸、体の活動信号、体の重心位置及び姿勢などの信号、を全面的に把握することによって、より迅速、かつ主動的に被測定者に必要な医療介護サービスを提供できる。
【０００３】
医療介護サービスの提供者による被測定者の在宅環境における各種活動の状況、例えば、ベッドにいるか否か、睡眠状態、行動状況及び起き上がり状況など、を把握するため、従来、検知装置が開発されている。
【考案の概要】
【考案が解決しようとする課題】
【０００４】
例えば、図１に示すように、従来の検知装置１は、２層の弾性構造体１１と、複数の第１導電繊維１２と、導電性織物１３と、を備える。そのうち、第１導電繊維１２は、金属導電繊維、導電性金属化合物繊維またはカーボン含有導電性繊維などであり、それぞれ弾性構造体１１に縫製されていて、かつ弾性構造体１１と相互に対応する側面に露出する。導電性織物１３は、第２導電繊維１３１と、一般の紡績糸１３２と交織してなる。または、導電性織物１３は、第２導電繊維１３１と一般繊維と混紡してから織り上げる。導電性織物１３は、弾性構造体１１の間に設けられている。検知装置１が外力の圧迫を受けると、弾性構造体１１は、圧迫により変形して、第１導電繊維１２と導電性織物１３を構成する第２導電繊維１３１とが接触し相互に導通して、複数の接触点および複数の検知抵抗を形成する。検知装置１の第１導電繊維１２または導電性織物１３が図示しない制御モジュールと電気接続したとき、制御モジュールは、検知抵抗合計値と稼働電圧及び検知装置１の受ける圧力、圧力面積及び接触点との関係に基づき信号を発生する。制御モジュールは、図示しない電子装置と有線または無線方式によりオンライン接続すれば、医療介護サービス提供者が電子装置を介して信号を分析処理し、被測定者の活動状況を把握することができる。
【０００５】
検知装置１は、在宅環境において、ベッドマット、椅子クッション、机、椅子足部のパッド、あるいは、衣服など各種製品に応用することができるため、これにより被測定者の在宅環境における各種活動のモニタニングができる。検知装置１の侵入性と拘束性は低く、被測定者心理の抵抗意識を有効に軽減できると共に、構造が簡単便利、柔軟性を有するため、使用便利、かつ良い快適性などの長所を有する。このため、在宅医療ケアサービスの分野において、検知装置１が徐々に各種の監視装置の１つの重要技術になっている。
【０００６】
考案者の長期研究したところ、検知装置１は、前述した多くの長所があるが、検知装置１の設計にはなお改良の余地が残る。引き続き、図１を参照する。導電性織物１３は、導電金属繊維または導電性金属化合物繊維など第２導電繊維１３１と一般の紡績糸３２と交織して作られる。そのため、長期使用した後、第２導電繊維１３１は屈折により突起状の鋭部１３１ａを形成する。鋭部１３１ａは、導電性織物１３が位置する平面に突き出しているため、鋭部１３１ａは、検知装置１が外力を受けない状態でも第１導電繊維１２に接触して、第１導電繊維１２が導電性織物１３と相互に導通する可能性がある。よって、間違った導通信号を発生する虞がある。さらに、導電性織物１３は、導電金属繊維または導電性金属化合物繊維など第２導電繊維１３１と一般の紡績糸１３２と交織して作られる。そのため、長期使用した後、一般の紡績糸１３２は、長期の摩擦により、導電性織物１３の表面に多くの毛玉１３２ａを形成する。毛玉１３２ａは、第１導電繊維１２に対応する位置に形成される可能性があり、かつ毛玉１３２ａは不導電体の一般の紡績糸１３２からなるので、検知装置１が外力の圧迫を受けるとき、毛玉１３２ａによって第１導電繊維１２と第２導電繊維１３１との間の導通を妨げ、検知装置１の感度を低下させる。
【０００７】
前述から明らかなように、公知の検知装置１は、被測定者心理の抵抗意識を有効に軽減できると共に、使用便利及び良い快適性などの長所を有する。しかし、導電性織物１３の材料特性から、検知装置１を長期使用した後、検出信号の正確性及び感度とも次第に低下するため、耐用性は理想でない。よって、本考案は、上述の課題に鑑みてなされたものであり、その目的は、従来の検知装置１の構造設計を改良し、検知装置１の検知信号の正確性及び感度を向上する検知装置を提供することにある。
【課題を解決するための手段】
【０００８】
本考案の一態様は、導電性弾性体を備える非意識型活動検知装置を提供する。検知装置は、非導電性弾性体と、少なくとも１つの導電性繊維と、導電性弾性体と、を備える。非導電性弾性体は、ポリウレタン材料などの軟質の弾性非導電体からなり、一側面に凹凸形状状が形成される。また、非導電性弾性体は少なくとも一つの凹み部を形成する。導電性繊維は、縫製などにより、凹み部に固定される。導電性弾性体は、導電性ポリフォームまたは導電ゴムなどの軟質の弾性導電体からなり、非導電性弾性体に形成される凹凸形状が形成される一側面に取り付けられる。検知装置が外力の圧迫を受けると、導電性弾性体及び非導電性弾性体の対応する部位が圧迫変形して、導電性弾性体が導電性繊維と接触して互いに導通する。
【０００９】
このように、本考案は、導電性弾性体が、従来の検知装置の導電性織物に取り代わるため、従来の検知装置の導電性織物の使用に係る種々の問題を有効に解決できる。たとえば従来の検知装置では、導電性織物の導電性繊維が割れたり突起が形成されたりしたとき、外力の圧迫を受けていないときも非導電性弾性体に縫製された導電性繊維に接触して、間違いの接触信号を発生する虞がある。また、導電性繊維は、導電性繊維と一般の繊維と混紡して織り上げられている従来の検知装置では、一般の繊維が長期使用により毛玉を形成してしまい、検知装置が外力の圧迫を受けるとき、導電性織物の導電性繊維と非導電性弾性体に縫製された導電性繊維との間の導通を妨げる虞がある。これに対し、本考案の検知装置は、従来の検知装置に比べ、高い正確性及び感度が得られるほか、長期に使用してもその効果は損なわれない。検知装置使用の耐用性を大きく向上できる。
【図面の簡単な説明】
【００１０】
【図１】従来の検知装置の概略断面図である。
【図２】本考案の第１実施形態による検知装置の斜視図である。
【図３】本考案の第１実施形態による検知装置の概略断面図である。
【図４】本考案の第２実施形態による検知装置の斜視図である。
【考案を実施するための形態】
【００１１】
以下、本考案の実施の形態による検知装置を図面に基づいて説明する。
（第１実施形態）
本考案の第１実施形態において、図２及び図３を参照する。検知装置２は、非導電性弾性体２１と、少なくとも一つの導電性繊維２２と、導電性繊維２３と、を備える。非導電性弾性体２１は、発泡材料、たとえば、ポリウレタン材料などからなる。非導電性弾性体２１は、その他の軟質の弾性非導電体からなることもできる。
【００１２】
導電性繊維２２は、非導電性弾性体２１に縫製される。非導電性弾性体２１は、弾性変形可能な部材により仕上げられている。よって、導電性繊維２２を非導電性弾性体２１に縫製するとき、導電性繊維２２によって、非導電性弾性体２１の一部の区域をきつく縛り、非導電性弾性体２１の表面に凹凸形状が形成される。すなわち、非導電性弾性体２１には、導電性繊維２２の位置に対応して凹み部２１１が形成される。また、非導電性弾性体２１のその他の位置は、凹み部２１１に対して突起部２１２を形成する非導電性弾性体２１の表面に凹凸形状を形成する方法は、どのような方法であってもよい。例えば、非導電性弾性体２１を製造するときに、表面を凹凸形状に設計しておき、その後、導電性繊維２２を縫製、接着その他固定方式により、非導電性弾性体２１の表面の凹み部２１１に固定させてもよい。換言すれば、導電性繊維２２の固定方式及び非導電性弾性体２１の設計を独自に変更できる。
【００１３】
導電性弾性体２３は、弾性を有する非導電体例えば導電性ポリウレタンまたは導電性ゴムなどからなり、非導電性弾性体２１形成される凹凸形状の側面に設置することができる。本実施形態では、接着方式により、導電性弾性体２３の周縁部を非導電性弾性体２１の周縁部と相互を一体に結合されている。ただし、本考案はこの限りでない。
【００１４】
図３に示すように、検知装置２が外力の圧迫を受けていない状態において、導電性弾性体２３は、非導電性弾性体２１の表面の突起部２１２にあてがわれているので、凹み部２１１に固定されている導電性繊維２２との間に所定の距離が維持される。そして、検知装置２が外力の圧迫を受けると、導電性弾性体２３および非導電性弾性体２１に対応する部位が圧迫変形し、導電性弾性体２３と導電性繊維２２とが接触して導通される。このように、本実施形態では、導電性弾性体２３が、従来の検知装置の導電性織物（例えば、図１に示す導電性織物１３）に取り代わる。よって、従来の検知装置に比べて、本実施形態の検知装置２を信号検知に使用するときは、導電性織物使用による種々な問題を有効に防止し、間違いの接触信号の発信、または、長期間使用後の感度低下などを避けられる。前述説明から、本実施形態の検知装置２の信号検知は、より高い正確性及び感度を有するほか、長期間使用しても、その効果は損なわれず、検知装置２使用の耐用性を大幅に向上できる。
【００１５】
（第２実施形態）
本考案の第２実施形態による検知装置を図４に基づいて説明する。本考案の第２実施形態による検知装置３では、大きい面積の非導電性弾性体３１を設計しておき、非導電性弾性体３１の一側面の局部区域に導電性繊維３２を縫製することによって、非導電性弾性体３１の導電性繊維３２に対応する区域に凹凸形状を形成する。また、小さい面積の導電性弾性体３３を非導電性弾性体３１の一側面のほかの区域に取り付けて、非導電性弾性体３１を２つ折りにする。これにより、非導電性弾性体３１は、導電性弾性体３３が設けられる２つの対応する２枚のシート体を構成する。さらに、非導電性弾性体３１の周縁部に沿って綿糸３４を縫合し、検知装置３を形成する。このとき、非導電性弾性体３１が検知装置３の本体を構成し、かつ、導電性弾性体３３が非導電性弾性体３１の内部に収容される。これにより、上記実施形態と同様に、導電性弾性体３３を非導電性弾性体３１の凹凸形状の一側面に安定して固定することができる。同様に、非導電性弾性体３１を２枚の独立したシート体に仕上げて、導電性弾性体３３を２層のシート体の間に設け、非導電性弾性体３１の周縁部に沿って、２枚の非導電性弾性体３１を一体にシールすることにより、同等な効果が得られる。
【００１６】
以上の説明は、本考案の実施形態である。ただし、本考案の技術的特徴はこれに限られない。当該技術を熟知する者が本考案の技術分野において、容易に変化又は修飾できるものもなお本考案の技術的範囲に含まれる。よって、本考案の応用分野は本考案を制限する条件ではなく、当分野の技術を熟知する者が容易に想到する流用及び修飾は、なお本考案の技術的範囲に含まれる。
【符号の説明】
【００１７】
２、３・・・検知装置
２１、３１・・・非導電性弾性体
２１１・・・凹み部
２１２・・・突起部
２２、３２・・・導電性繊維
２３、３３・・・導電性弾性体
３４・・・綿糸
【図１】
0003180094.tif 000003
【図２】
0003180094.tif 000004
【図３】
0003180094.tif 000005
【図４】
0003180094.tif 000006
【手続補正書】
【提出日】平成24年10月1日(2012.10.1)
【手続補正１】
【補正対象書類名】実用新案登録請求の範囲
【補正対象項目名】請求項１
【補正方法】変更
【補正の内容】
【請求項１】
軟質の弾性を有する非導電体からなり、一側面に凹み部を有する非導電性弾性体と、
前記凹み部の内部に固定される導電性繊維と、
弾性を有する導電体からなり、前記非導電性弾性体の前記一側面に取り付けられる導電性弾性体と、
を備え、
外力の圧迫を受けると、前記導電性弾性体および前記非導電性弾性体の対応する部位が圧迫により変形し、前記導電性弾性体と前記導電性繊維とが接触し、導通することを特徴とする検知装置。
【手続補正２】
【補正対象書類名】明細書
【補正対象項目名】０００８
【補正方法】変更
【補正の内容】
【０００８】
本考案の一態様は、導電性弾性体を備える非意識型活動検知装置を提供する。検知装置は、非導電性弾性体と、少なくとも１つの導電性繊維と、導電性弾性体と、を備える。非導電性弾性体は、ポリウレタン材料などの軟質の弾性を有する非導電体からなり、一側面に少なくとも一つの凹み部を形成する。導電性繊維は、縫製などにより、凹み部に固定される。導電性弾性体は、導電性ポリフォームまたは導電ゴムなどの軟質の弾性導電体からなり、非導電性弾性体の一側面に取り付けられる。検知装置が外力の圧迫を受けると、導電性弾性体及び非導電性弾性体の対応する部位が圧迫変形して、導電性弾性体が導電性繊維と接触して互いに導通する。